(57)【要約】【課題】チップ部品がドラム爪に付着した状態で搬送されてもシュート溝の上端段部に挟まれるのを防止できるチップ部品の整列供給装置を提供する。【解決手段】一方向ａに回転する回転ドラム３に形成された部品収納部１６と、該部品収納部１６の外周に沿って配設されたシュート溝２ｂと、上記部品収納部１６の内周に形成され、該部品収納部１６内に供給されたチップ部品Ｗを上記シュート溝２ｂに送り込むドラム爪２０とを有するチップ部品の整列供給装置において、上記シュート溝２ｂのドラム回転方向ａにおける下流側端部に円形ブラシ（チップ部品除去手段）２３を配設し、該円形ブラシ２３を回転駆動することにより上記ドラム爪２０に付着して搬送されたチップ部品Ｗを払い落とす。【選択図】      図５
2004182456.tif 000002
【特許請求の範囲】
【請求項１】
一方向に回転する回転ドラムに部品収納部を形成し、該回転ドラムの外周に沿って整列排出部を形成し、上記部品収納部内に供給されたチップ部品を上記整列排出部に送り込むドラム爪を上記回転ドラムに設け、該ドラム爪によりチップ部品を上記整列排出部に送り込むことにより該チップ部品を整列させつつドラム回転方向と反対方向に排出するようにしたチップ部品の整列供給装置において、上記整列排出部のドラム回転方向における下流側部分に、上記ドラム爪に付着して搬送されたチップ部品を除去するチップ部品除去手段を設けたことを特徴とするチップ部品の整列供給装置。
【請求項２】
請求項１において、上記チップ部品除去手段は、軸回りの少なくとも一部に可撓性，もしくは弾性を有する除去部材を配設して構成されており、該除去部材を上記軸回りに回転又は揺動させることにより上記チップ部品を部品収納部内に払い落とすように構成されていることを特徴とするチップ部品の整列供給装置。
【請求項３】
請求項２において、上記除去部材が、専用のアクチュエータにより回転又は揺動駆動されることを特徴とするチップ部品の整列供給装置。
【請求項４】
請求項２において、上記除去部材が、上記回転ドラムの回転を利用して回転又は揺動駆動されることを特徴とするチップ部品の整列供給装置。
【請求項５】
請求項２ないし４の何れかにおいて、上記除去部材が、上記回転ドラムの回転方向と逆方向に回転又は揺動駆動されることを特徴とするチップ部品の整列供給装置。
【請求項６】
請求項２ないし５の何れかにおいて、上記除去部材が、円形ブラシであることを特徴とするチップ部品の整列供給装置。
【請求項７】
請求項１において、上記チップ部品除去手段が、圧縮空気を上記チップ部品に吹きつけることにより該チップ部品を部品収納部内に払い落とすように構成されていることを特徴とするチップ部品の整列供給装置。
【発明の詳細な説明】
【０００１】
【発明の属する技術分野】
本発明は、多数のチップ部品を連続的に整列させて排出するようにしたチップ部品の整列供給装置に関する。
【０００２】
【従来の技術】
この種のチップ部品整列供給装置として、従来、図１６及び図１７に示す構造のものが提案されている。これは、一方向（反時計回り）に回転する回転ドラム１００に形成された内側，外側部品収納部１００ａ，１００ｂと、該回転ドラム１００を支持する固定ドラム１０１に上記外側部品収納部１００ｂの外周に沿うように形成された円弧状のシュート溝（整列排出部）１０１ａと、上記外側部品収納部１００ｂの内周に所定間隔毎に形成されたドラム爪１０２とを備えた構成となっている（例えば、特許文献１，２参照）。
【０００３】
そしてホッパ１０３に投入されたチップ部品Ｗが部品投入口１０３ａから内側部品収納部１００ａ内に供給され、投入溝１００ｃを通って外側部品収納部１００ｂに供給される。するとドラム爪１０２によりチップ部品Ｗが押し上げられてシュート溝１０１ａ内に送り込まれ、該シュート溝１０１ａの下端のゲート口１０１ｂにて一列に整列され、排出通路１０１ｃを自重により滑り落ちて排出口１０１ｄに排出される。
【０００４】
【特許文献１】
特開平１１−７１０１９号公報
【０００５】
【特許文献２】
特開２００１−１９６７９１号公報
【０００６】
【発明が解決しようとする課題】
ところが、上記従来装置では、例えば図１８に示すように、チップ部品Ｗ′が静電気や水，油分等によりドラム爪１０２に付着したり，引っ掛かったりすると、シュート溝１０１ａに落ちずにドラム爪１０２とともに搬送され、場合よってはシュート溝１０１ａの上端段部１０１ａ′にチップ部品Ｗが挟まれ、チップ部品Ｗやドラム爪１０２が損傷するという懸念がある。
【０００７】
これは回転ドラムの遠心力によってチップ部品の姿勢が変化し、該チップ部品の一部がシュート溝にはみ出した状態で搬送される場合があり，その結果上述のような問題が生じ易くなっている。
【０００８】
本発明は、上記従来の状況に鑑みてなされたもので、チップ部品がドラム爪に付着して搬送された場合にもシュート溝の上端段部に挟まれるのを防止できるチップ部品の整列供給装置を提供することを目的としている。
【０００９】
【課題を解決するための手段】
請求項１の発明は、一方向に回転する回転ドラムに部品収納部を形成し、該回転ドラムの外周に沿って整列排出部を形成し、上記部品収納部内に供給されたチップ部品を上記整列排出部に送り込むドラム爪を上記回転ドラムに設け、該ドラム爪によりチップ部品を上記整列排出部に送り込むことにより該チップ部品を整列させつつドラム回転方向と反対方向に排出するようにしたチップ部品の整列供給装置において、上記整列排出部のドラム回転方向における下流側部分に、上記ドラム爪に付着して搬送されたチップ部品を除去するチップ部品除去手段を設けたことを特徴としている。
【００１０】
請求項２の発明は、請求項１において、上記チップ部品除去手段は、軸回りの少なくとも一部に可撓性，もしくは弾性を有する除去部材を配設して構成されており、該除去部材を上記軸回りに回転又は揺動させることにより上記チップ部品を部品収納部内に払い落とすように構成されていることを特徴としている。
【００１１】
請求項３の発明は、請求項２において、上記除去部材が、専用のアクチュエータにより回転又は揺動駆動されることを特徴としている。
【００１２】
請求項４の発明は、請求項２において、上記除去部材が、上記回転ドラムの回転を利用して回転又は揺動駆動されることを特徴としている。
【００１３】
請求項５の発明は、請求項２ないし４の何れかにおいて、上記除去部材が、上記回転ドラムの回転方向と逆方向に回転又は揺動駆動されることを特徴としている。
【００１４】
請求項６の発明は、請求項２ないし５の何れかにおいて、上記除去部材が、円形ブラシであることを特徴としている。
【００１５】
請求項７の発明は、請求項１において、上記チップ部品除去手段が、圧縮空気を上記チップ部品に吹きつけることにより該チップ部品を部品収納部内に払い落とすように構成されていることを特徴としている。
【００１６】
【発明の作用効果】
請求項１の発明に係る整列供給装置によれば、整列排出部のドラム回転方向下流側部分にチップ部品除去手段を設けたので、ドラム爪に付着した状態でチップ部品が搬送されると、チップ部品除去手段により強制的にドラム爪から取り除かれることとなる。その結果、チップ部品が整列排出部の段部とドラム爪との間に挟まれるのを防止でき、チップ部品やドラム爪が損傷するのを防止できる。
【００１７】
請求項２の発明では、軸回りに可撓性，あるいは弾性を有する除去部材を配設し、該除去部材を回転又は揺動させることによりチップ部品を部品収納部内に払い落とすようにしたので、チップ部品を傷つけたりすることなく確実に除去することができるとともに、そのまま整列排出部に送り戻すことができる。
【００１８】
請求項３の発明では、除去部材を専用のアクチュエータにより回転又は揺動駆動したので、連続的に除去部材を駆動させることができ、例えば回転ドラムが間欠回転する場合にもチップ部品を確実に除去することができる。
【００１９】
請求項４の発明では、除去部材を回転ドラムの回転を利用して回転又は揺動駆動するようにしたので、新たな駆動源を設ける必要がなく、コスト上昇を抑制できる。
【００２０】
請求項５の発明では、除去部材を回転ドラムの回転方向と逆方向に回転又は揺動駆動したので、チップ部品を回転ドラムの回転方向に払い落とすことができ、チップ部品に加わる衝撃を緩和できる。
【００２１】
請求項６の発明では、除去部材を円形ブラシにより構成したので、安価でかつ簡単な構造でもって除去手段を構成できる。
【００２２】
請求項７の発明では、圧縮空気をチップ部品に吹きつけることにより、該チップ部品を部品収納部内に払い落とすようにしたので、チップ部品を傷つけたりすることなく除去することができるとともに、そのまま整列排出部に送り戻すことができる。
【００２３】
【発明の実施の形態】
以下、本発明の実施の形態を添付図面に基づいて説明する。
【００２４】
図１ないし図６は、請求項１，２，３，５，６の発明の一実施形態によるチップ部品の整列供給装置を説明するための図であり、図１は整列供給装置の概略斜視図、図２，図３，図４は整列供給装置の概略構成を示す正面図，断面図（図２のＩＩＩ−ＩＩＩ  線断面図）  ，背面図、図５，図６は整列供給装置の動作を示す正面図，断面平面図である。
【００２５】
図において、１は整列供給装置を示しており、これは概ね矩形板状の固定ドラム２を起立させて配置し、該固定ドラム２に円板状の回転ドラム３を配設するとともに、該回転ドラム３を回転駆動する駆動モータ４を配設し、さらに上記固定ドラム２に多数のチップ部品Ｗが充填されたホッパ５を接続した概略構造のものである。上記チップ部品Ｗは、セラミック等からなる角柱体，平板体，もしくは円柱体に一対の電極を形成してなるコンデンサ等の電子部品である。
【００２６】
上記固定ドラム２には回転ドラム３が収納可能な凹部２ａが形成され、該凹部２ａの内周面に回転ドラム３の外周面が摺接している。この回転ドラム３には軸心を水平に向けて配置されたドラム軸６が固定され、該ドラム軸６は軸受７を介して固定ドラム２に回転自在に支持されている。このドラム軸６には従動プーリ８が固定され、該従動プーリ８と上記駆動モータ４の駆動軸４ａに固定された駆動プーリ９とは両者に巻回された駆動力伝達ベルト１０により連結されている。この駆動モータ４により回転ドラム３は反時計周り（矢印ａ方向）に間欠的に回転駆動される。
【００２７】
上記固定ドラム２にはホッパ５の底部に連通する部品投入通路１５が形成されており、該部品投入通路１５はチップ部品Ｗの自重により滑り落ちるように傾斜させて形成されている。この部品投入通路１５の下端部には回転ドラム３に形成された投入口３ａが連通している。
【００２８】
上記回転ドラム３の固定ドラム２との対向面には部品収納部１６が形成されている。この部品収納部１６は、ドラム軸６周りに凹設された部品投入部１７と、該部品投入部１７の外側に隔壁１８を介して凹設された部品送り部１９とから構成されている。この部品投入部１７に上記投入口３ａが開口しており、これによりホッパ５に投入されたチップ部品Ｗは部品投入通路１５を通って投入口３ａから部品投入部１７内に連続して供給される。
【００２９】
上記隔壁１８には略接線方向に延びる投入溝１８ａが周方向に所定間隔をあけて形成されており、この投入溝１８ａにより部品投入部１７と部品送り部１９とは連通されている。
【００３０】
上記回転ドラム３の部品送り部１９の内周面にはドラム爪２０が周方向に所定間隔をあけて形成されている。このドラム爪２０は、後述するシュート溝２ｂにチップ部品Ｗを送り込むとともに、ゲート口２ｃに滞留したチップ部品Ｗを取り除いて詰まりを解消する機能を有している。
【００３１】
上記隔壁１８には上記投入溝１８ａと交差するよう一対の戻し溝１８ｂが形成されている。上記部品送り部１９の戻し溝１８ｂに臨む部分には戻し爪２１が形成されており、該戻し爪２１により部品送り部１９は閉塞されている。
【００３２】
上記部品送り部１９にチップ部品Ｗが滞留すると戻し爪２１により戻し溝１８ｂを通って部品投入部１７に戻されることとなり、このようにして部品送り部１９内にチップ部品Ｗが過剰状態となるのを防止している。
【００３３】
上記固定ドラム２には凹部２ａの内周面に沿って延びるシュート溝（整列排出部）２ｂが形成されており、該シュート溝２ｂは部品送り部１９に全長に渡って連通している。このシュート溝２ｂの溝幅，溝深さはチップ部品Ｗが縦向きに直列に整列する大きさに形成され、回転ドラム３の部品送り部１９の周方向略１／４に渡る長さに設定されている。即ち、シュート溝２ｂの上端は回転ドラム３の中心を通る垂直線付近まで延び、下端は回転ドラム３の中心を通る水平線付近まで延びている。
【００３４】
上記シュート溝２ｂの下端にはこれに続いてゲート口２ｃが形成されており、該ゲート口２ｃには回転ドラム３の接線下方に直線状に延びる排出通路２ｄが形成されており、該排出通路２ｄの下端には排出口２ｅが形成されている。上記ゲート口２ｃはチップ部品Ｗを１つずつ通過させ、上記排出通路２ｄはチップ部品Ｗが自重により滑り落ちるように傾斜している。
【００３５】
そして、上記シュート溝２ｂの上端段部２ｂ′の下流側近傍にはチップ部品除去手段を構成する円形ブラシ（除去部材）２３が配設されている。この円形ブラシ２３は回転軸２４に可撓性，もしくは弾性を有する繊維束２５を周方向に植設して構成されている。上記円形ブラシ２３は固定ドラム２に形成された収納凹部２ｇ内に配置されている。
【００３６】
上記回転軸２４は固定ドラム２に回転自在に支持されており、該回転軸２４の外端部には専用の駆動モータ２６が接続されている。この駆動モータ２６により円形ブラシ２３は回転ドラム３とは独立して，かつ該回転ドラム３の回転方向ａと逆方向ｂに回転駆動される。
【００３７】
次に本実施形態の作用効果について説明する。
【００３８】
ホッパ５に多数のチップ部品Ｗを投入し、回転ドラム３を間欠回転駆動するとともに、円形ブラシ２３を回転駆動する。ホッパ５に投入されたチップ部品Ｗは順次部品投入通路１５を自重により滑って投入口３ａから部品投入部１７に供給され、回転ドラム３の回転によって投入溝１８ａから部品送り部１９内に供給される。この部品送り部１９内に供給されたチップ部品Ｗは各ドラム爪ム２０により押し上げられてシュート溝２ｂ内に送り込まれ、該シュート溝２ｂからゲート口２ｃに搬送され、ここで順次一列に整列され、排出通路２ｄを滑り落ちて排出口２ｅに排出される。この排出口２ｅに排出されたチップ部品Ｗは１つずつピックアップされて不図示の電気的特性検査装置，テーピング装置，あるいはチップマウンタ装置等に移送される。
【００３９】
一方、静電気や水，油分等によりドラム爪２０に付着したり，引っ掛かったりしてチップ部品Ｗの一部がシュート溝２ｂにはみ出した状態で押し上げられると、円形ブラシ２３によりドラム回転方向ａに払い落とされ、部品送り部１９に戻される。
【００４０】
このように本実施形態によれば、シュート溝２ｂの上端段部２ｂ′の下流側に円形ブラシ２３を配設し、該円形ブラシ２３を駆動モータ２６により回転駆動したので、上述のようにドラム爪２０に付着した状態でチップ部品Ｗが押し上げられると、円形ブラシ２３により強制的にドラム爪２０から取り除かれることとなる。その結果、チップ部品Ｗが上記上端段部２ｂ′でドラム爪２０に挟まれるのを防止でき、チップ部品Ｗやドラム爪２０が損傷するのを防止できる。
【００４１】
また本実施形態では、円形ブラシ２３を可撓性，あるいは弾性を有する繊維束２５により構成したので、チップ部品Ｗを傷つけたりすることなく確実に部品送り部１９に払い落とすことができるとともに、払い落とされたチップ部品Ｗをドラム爪２０によって再び押し上げてシュート溝２ｂに送り戻すことができる。
【００４２】
上記円形ブラシ２３を専用の駆動モータ２６により回転駆動したので、回転ドラム３の（間欠）動作に関係なく連続的に円形ブラシ２３を駆動することができ、回転ドラム３が停止しているときにもチップ部品Ｗを確実に除去することができる。
【００４３】
本実施形態では、円形ブラシ２３を回転ドラム３の回転方向ａと逆方向ｂに回転駆動したので、チップ部品Ｗを回転ドラム３の回転方向ａに払い落とすことができ、チップ部品Ｗに加わる衝撃を緩和できる。
【００４４】
また上記円形ブラシ２３を回転軸２４に繊維束２５を植設して構成したので、安価でかつ簡単な構造でもって除去手段を構成できる。
【００４５】
なお、上記実施形態では、円形ブラシ２３を回転ドラム３の回転方向ａと逆方向ｂに回転させた場合を説明したが、本発明は、図７に示すように、円形ブラシ２３を駆動モータにより回転ドラム３の回転方向ａと同じ方向ｃに回転させてもよい。この場合には、チップ部品Ｗをドラム爪２０から略鉛直下方に払い落とすこととなる。
【００４６】
図８及び図９は、請求項４の発明の第１実施形態による整列供給装置を説明するための図である。図中、図５と同一符号は同一又は相当部分を示す。本実施形態における整列供給装置は、上記実施形態の整列供給装置と基本的な構成は同様であるので、以下、異なる部分について説明する。
【００４７】
本実施形態は、円形ブラシ２３を回転ドラム３の間欠回転を利用して回転駆動するようにした例である。
【００４８】
上記回転ドラム３の外周には該回転ドラム３と共に回転する大歯車３０が配設されており、上記円形ブラシ２３の回転軸２４には上記大歯車３０に噛合する小歯車３１が配設されている。これにより円形ブラシ２３は回転ドラム３の回転方向ａと反対方向ｂに回転駆動される。
【００４９】
上記円形ブラシ２３は回転ドラム３が停止したときに隣合うドラム爪２０，２０の略中間に位置するように配置されている。
【００５０】
本実施形態では、回転ドラム３が回転すると円形ブラシ２３は増速されて回転することとなり、ドラム爪２０に付着したチップ部品Ｗをドラム回転方向ａに払い落とすことができ、上記実施形態と同様の効果が得られる。
【００５１】
また上記円形ブラシ２３を回転ドラム３が停止したときに隣合うドラム爪２０，２０の中間に位置するように配置したので、回転ドラム３の回転に伴って円形ブラシ２３が回転するタイミングと、該円形ブラシ２３がドラム爪２０に接触するタイミングとを略一致させることができ、チップ部品Ｗの除去を確実に行うことができる。
【００５２】
本実施形態では、上記回転ドラム３の回転を大歯車３０，小歯車３１を介して円形ブラシ２３に増速させて伝達するようにしたので、チップ部品Ｗを払い落とすのに必要な回転力を得ることができるとともに、新たな駆動源を設ける必要がなく、コスト上昇を抑制できる。
【００５３】
なお、上記実施形態では、円形ブラシ２３を回転ドラム３の回転方向ａと逆方向ｂに回転させた場合を説明したが、本発明は、図１０，図１１に示すように、円形ブラシ２３を回転ドラム３の回転方向ａと同じ方向ｃに回転させることにより、チップ部品Ｗをドラム爪２０から鉛直下方に払い落とすようにしてもよい。この場合には、回転ドラム３に配設された大歯車３０と円形ブラシ２３に配設された小歯車３１と間に中間歯車３２を介在させることにより実現できる。
【００５４】
図１２は、請求項４の発明の第２実施形態による整列供給装置を説明するための図であり、図中、図５と同一符号は同一又は相当部分を示す。
【００５５】
本実施形態は、円形ブラシ２３を回転ドラム３の間欠回転を利用して回転駆動するようにした例である。
【００５６】
上記回転ドラム３のドラム軸６には大径プーリ４０が装着されており、円形ブラシ２３の回転軸２４には小径プーリ４１が装着されている。この両プーリ４０，４１には８字状にクロスさせたタイミングベルト４２が巻回されている。これにより円形ブラシ２３は回転ドラム３の回転方向ａと反対方向ｂに回転駆動される。また上記円形ブラシ２３は回転ドラム３が停止したときに隣合うドラム爪２０，２０の中間に位置するように配置されている。
【００５７】
本実施形態では、回転ドラム３が回転すると円形ブラシ２３は増速されて回転することとなり、ドラム爪２０に付着したチップ部品Ｗをドラム回転方向ａに払い落とすことができ、上記第１実施形態と同様の効果が得られる。
【００５８】
なお、図１３に示すように、上記円形ブラシ２３の回転方向を回転ドラム３の回転と同じ方向とする場合には、タイミングベルト４２をオープンにすることとなる。
【００５９】
図１４及び図１５は、請求項４の発明の第３実施形態による整列供給装置を説明するための図であり、図中、図５と同一符号は同一又は相当部分を示す。
【００６０】
本実施形態は、回転ドラム３の間欠回転を利用して円形ブラシ２３を揺動駆動するようにした例である。
【００６１】
上記回転ドラム３の各ドラム爪２０の回転方向ａ前側には突起部材５０が配置されており、各突起部材５０は回転ドラム３の外側に突出している。
【００６２】
上記円形ブラシ２３の回転軸２４には概ねへ字状のカムレバー５１が固着されている。このカムレバー５１の一辺部５１ａは突起部材５０に係合可能となっており、他辺部５１ｂはばね５２によりドラム回転方向ａに付勢支持されている。
【００６３】
上記円形ブラシ２３は回転ドラム３が停止したときにドラム爪２０の回転方向ａ前端に位置するように配置されている。また上記突起部材５０はドラム爪２０の僅か前側に位置するように配置されている。これによりドラム爪２０が円形ブラシ２３に接触する直前に突起部材５０がカムレバー５１に接し始め、ドラム爪２０が停止する直前に突起部材５０がカムレバー５１から離れ、円形ブラシ２３がばね５２に付勢力によりａ方向に回転するようになっている。
【００６４】
上記回転ドラム３が回転すると突起部材５０がカムレバー５１の一辺部５１ａに係合して円形ブラシ２３をｂ方向に揺動させるとともに、ばね５２を伸長させる。回転ドラム３が回転して突起部材５０の係合が外れると、ばね５２が収縮して円形ブラシ２３をｃ方向に揺動させる。
【００６５】
本実施形態では、円形ブラシ２３をｂ方向に揺動させた後，ｃ方向に揺動させるようにしたので、ドラム爪２０に付着したチップ部品Ｗを確実に払い落とすことができ、上記実施形態と同様の効果が得られる。
【００６６】
なお、上記各実施形態では、チップ部品除去手段として円形ブラシを用いた場合を説明したが、本発明の除去手段はこれに限られるものではない。例えば、コンプレッサにより空気を圧縮し、該圧縮空気をノズルを介してチップ部品に吹きつけることにより、該チップ部品を払い落とすようにしてもよく、このようにしたのが請求項７の発明である。この場合にも、チップ部品を傷つけたりすることなく除去でき、上記実施形態と同様の効果が得られる。
【図面の簡単な説明】
【図１】請求項１，２，３，５，６の発明の一実施形態による整列供給装置の概略斜視図である。
【図２】上記整列供給装置の正面図である。
【図３】上記整列供給装置の断面図（図２のＩＩＩ−ＩＩＩ  線断面図）  である。
【図４】上記整列供給装置の背面図である。
【図５】上記整列供給装置の動作を示す正面図である。
【図６】上記整列供給装置の断面平面図である。
【図７】上記実施形態の整列供給装置の変形例を示す図である。
【図８】請求項４の発明の第１実施形態による整列供給装置を説明するための概略構成図である。
【図９】上記整列供給装置の平面図である。
【図１０】上記第１実施形態の整列供給装置の変形例を示す図である。
【図１１】上記整列供給装置の平面図である。
【図１２】請求項４の発明の第２実施形態による整列供給装置を説明するための概略構成図である。
【図１３】上記第２実施形態の整列供給装置の変形例を示す図である。
【図１４】請求項４の発明の第３実施形態による整列供給装置を説明するための概略構成図である。
【図１５】上記整列供給装置の概略構成図である。
【図１６】従来の一般的な整列供給装置を示す図である。
【図１７】図１６のＸＶＩＩ−ＸＶＩＩ  線断面図である。
【図１８】従来装置の問題点を示す図である。
【符号の説明】
１        整列供給装置
２        固定ドラム
２ｂ      シュート溝（整列排出部）
３        回転ドラム
１６      部品収納部
２０      ドラム爪
２３      円形ブラシ（チップ部品除去手段）
ａ        ドラム回転方向
ｂ        反対方向
ｗ        チップ部品
【図１】
2004182456.tif 000003
【図２】
2004182456.tif 000004
【図３】
2004182456.tif 000005
【図４】
2004182456.tif 000006
【図５】
2004182456.tif 000007
【図６】
2004182456.tif 000008
【図７】
2004182456.tif 000009
【図８】
2004182456.tif 000010
【図９】
2004182456.tif 000011
【図１０】
2004182456.tif 000012
【図１１】
2004182456.tif 000013
【図１２】
2004182456.tif 000014
【図１３】
2004182456.tif 000015
【図１４】
2004182456.tif 000016
【図１５】
2004182456.tif 000017
【図１６】
2004182456.tif 000018
【図１７】
2004182456.tif 000019
【図１８】
2004182456.tif 000020